(57)【要約】【課題】推力を効率よく高め、消費電力を抑制した、搬送装置および搬送方法を提供する。【解決手段】被搬送物側に設けられた第１磁性体と、第２磁性体からなるコアおよび前記コアの外側に巻かれた巻線を有する磁気回路と、前記磁気回路の前記巻線に電流を供給する駆動回路と、を備え、前記磁気回路は、第１磁気回路と、前記第１磁気回路に隣接し、かつ、前記被搬送物が搬送される側に位置する第２磁気回路と、を含み、前記第１磁性体が、前記第１磁気回路と前記第２磁気回路との間の第１所定位置よりも前記第２磁気回路側に位置する場合に、前記駆動回路は、前記第１磁性体と前記第１磁気回路との間に電磁反発力を発生させるように、前記第１磁気回路の巻線に電流を供給する。【選択図】  図４
2020205698.tif 000002
【特許請求の範囲】
【請求項１】
被搬送物側に設けられた第１磁性体と、
第２磁性体からなるコアおよび前記コアの外側に巻かれた巻線を有する磁気回路と、
前記磁気回路の前記巻線に電流を供給する駆動回路と、を備え、
前記磁気回路は、第１磁気回路と、前記第１磁気回路に隣接し、かつ、前記被搬送物が搬送される側に位置する第２磁気回路と、を含み、
前記第１磁性体が、前記第１磁気回路と前記第２磁気回路との間の第１所定位置よりも前記第２磁気回路側に位置する場合に、
前記駆動回路は、前記第１磁性体と前記第１磁気回路との間に電磁反発力を発生させるように、前記第１磁気回路の巻線に電流を供給する搬送装置。
【請求項２】
請求項１に記載の搬送装置において、
前記第２磁気回路に所定電流を流したときに発生する、前記第１磁性体への電磁吸引力の絶対値と、
前記第１磁気回路に前記所定電流を流したときに発生する、前記第１磁性体への電磁反発力の絶対値と、
が、前記第１所定位置において、等しくなる搬送装置。
【請求項３】
請求項１または２に記載の搬送装置において、
前記第１磁性体が、前記第１所定位置よりも前記第１磁気回路側に位置する場合に、
前記駆動回路は、前記第１磁性体と前記第２磁気回路との間に電磁吸引力を発生させるように、前記第２磁気回路の巻線に電流を供給する搬送装置。
【請求項４】
請求項１または２に記載の搬送装置において、
前記第１磁性体が、前記第１所定位置と前記第２磁気回路との間の第２所定位置よりも前記第２磁気回路側に位置する場合に、
前記駆動回路は、前記第１磁性体と前記第２磁気回路との間に電磁吸引力を発生させるように、前記第１磁気回路の巻線に電流を供給する搬送装置。
【請求項５】
請求項１または２に記載の搬送装置を搭載した検体分析システムであって、
前記被搬送体は、検体容器を保持するホルダまたはラックであることを特徴とする検体分析システム。
【請求項６】
第１磁気回路に隣接する第２磁気回路の巻線に電流を供給することで、磁性体との間に発生する電磁吸引力を主な推力として、
前記磁性体を有する被搬送体を、前記第１磁気回路上から前記第２磁気回路上へ搬送する搬送方法であって、
少なくとも、前記磁性体が、前記第１磁気回路と前記第２磁気回路との間の第１所定位置よりも前記第２磁気回路側に位置する場合に、
前記第１磁気回路の巻線に電流を供給することで、前記磁性体との間に発生する電磁反発力も推力として、前記被搬送体を搬送する搬送方法。
【請求項７】
請求項６に記載の搬送方法において、
前記電磁吸引力による推力は、前記電磁反発力による推力よりも大きくした搬送方法。
【発明の詳細な説明】
【技術分野】
【０００１】
本発明は、搬送装置に関する。
【背景技術】
【０００２】
検体分析システムでは、血液，血漿，血清，尿、その他の体液等の検体（サンプル）に対し、指示された分析項目を検査するため、複数の機能の装置をつなげ、自動的に各工程を処理している。つまり、検体分析システムでは、生化学や免疫など複数の分析分野の分析部を搬送ラインで接続し、１つの装置として運用がされている。
【０００３】
こうした検体分析システムにおける検体の搬送装置は、一般に、電磁回路の巻線に電流を供給することで、検体を保持するホルダ等に設けた永久磁石との間に、電磁吸引力を発生させ、この電磁吸引力を推力に利用している。しかし、この電磁吸引力は、搬送面との間に摩擦も生じさせ得るため、永久磁石との間の電磁反発力を発生させ、この電磁反発力を推力に利用する試みもされている。
【０００４】
例えば、特許文献１には、「第２の電磁アクチュエータは、結果として生成される、環状形状を有する第２の永久磁石に関する引っ張る力が生成されるように起動され、第３の電磁アクチュエータは、結果として生成される、前記第２の永久磁石に関する押す力が生成されるように起動される」（段落０１１１）と記載されている。
【先行技術文献】
【特許文献】
【０００５】
【特許文献１】特開２０１７−２２７６４８号公報
【発明の概要】
【発明が解決しようとする課題】
【０００６】
しかしながら、上記特許文献１に記載の搬送装置は、３つの隣接する電磁アクチュエータのうち、中央の電磁アクチュエータの上に、永久磁石が位置する場合に、一端の電磁アクチュエータを起動して、その電磁吸引力を推力に利用するとともに、他端の電磁アクチュエータを起動して、その電磁反発力も推力に利用するものである。すなわち、永久磁石から遠い場所にある電磁アクチュエータを起動させているため、その電磁反発力は小さく、無駄な電流損失を生じさせる。
【０００７】
本発明の目的は、推力を効率よく高め、消費電力を抑制した、搬送装置および搬送方法を提供することにある。
【課題を解決するための手段】
【０００８】
本発明の搬送装置は、上記課題を解決する手段を複数含んでいるが、その一例を挙げるならば、被搬送物側に設けられた第１磁性体と、第２磁性体からなるコアおよび前記コアの外側に巻かれた巻線を有する磁気回路と、前記磁気回路の前記巻線に電流を供給する駆動回路と、を備え、前記磁気回路は、第１磁気回路と、前記第１磁気回路に隣接し、かつ、前記被搬送物が搬送される側に位置する第２磁気回路と、を含み、前記第１磁性体が、前記第１磁気回路と前記第２磁気回路との間の第１所定位置よりも前記第２磁気回路側に位置する場合に、前記駆動回路は、前記第１磁性体と前記第１磁気回路との間に電磁反発力を発生させるように、前記第１磁気回路の巻線に電流を供給することを特徴とする。
【発明の効果】
【０００９】
本発明によれば、推力を効率よく高め、消費電力を抑制した、搬送装置および搬送方法を提供できる。
【図面の簡単な説明】
【００１０】
【図１】本発明の実施例１の搬送装置の概略を示す図である。
【図２】本発明の実施例１の搬送装置の模式図である。
【図３】本発明の実施例１における、位置に対する電磁吸引力及び電磁反発力の特性を示す図である。
【図４】本発明の実施例１における、電流パターンを示す図である。
【図５】本発明の実施例２における、位置に対する電磁吸引力及び電磁反発力の特性を示す図である。
【図６】本発明の実施例２における、電流パターンを示す図である。
【図７】本発明の実施例３における、位置に対する推力の特性および電流パターンを示す図である。
【図８】本発明の実施例４の検体分析装置の一例を示す図である
【図９】本発明の実施例４の検体前処理装置の一例を示す図である。
【発明を実施するための形態】
【００１１】
本発明の実施の形態を、図１乃至図９を参照して説明する。
【００１２】
＜実施例１＞
本発明の搬送装置の実施例１について、図１乃至図４を用いて説明する。
最初に本発明の搬送装置の概略構成について図１を用いて説明する。図１は、２つの磁極２５と永久磁石１０が相対的に動作する搬送装置の概略を模式的に示した図である。
【００１３】
図１に示すように、本実施例の搬送装置１は、永久磁石（第１磁性体）１０、磁極２５、駆動回路５０、電流検出部３０、演算部４０、電源５５を備えている。永久磁石１０は、被搬送物側に設けられており、好適にはネオジムやフェライトなどが用いられる。しかし、永久磁石１０の代わりに、その他の磁石や軟磁性体を用いても構わない。
【００１４】
永久磁石１０が設けられた被搬送物の例として、検体容器を１本ずつ保持する検体ホルダや、検体容器を複数本保持する検体ラックがある。このような検体ホルダや検体ラックには、永久磁石１０が一体となるように組み込まれており、永久磁石１０が搬送されることで、検体容器およびホルダやラックが所望の位置まで搬送される。
【００１５】
図１に示すように、搬送装置１には磁極２５が少なくとも２つ以上設けられている。１つ１つの磁極２５は、磁性体（第２磁性体）からなるコア２２と、コア２２の外周に巻かれた巻線２１と、を有している。磁極２５のうち円柱状のコア２２が、永久磁石１０に対向するように配置されている。
【００１６】
磁極２５の巻線２１に駆動回路５０が接続され、巻線２１に流れる電流値を検出する電流検出部３０が設けられている。なお、電流検出部３０は、直列抵抗、カレントトランスによるもの、ホール電流センサを用いたものなどが考えられるが、これらに限定するものではない。駆動回路５０は交流または電池などの直流の電源５５に接続される。駆動回路５０は、この電源５５から電流を受け取り、磁極２５の巻線２１に電流を供給する。
【００１７】
演算部４０は、電流検出部３０によって検出された電流値を基に、コア２２と永久磁石１０との相対位置関係を演算して、搬送装置１内における永久磁石１０の位置を演算する。また、演算部４０は、この演算した永久磁石１０の位置情報を用いて、駆動回路５０から永久磁石１０の駆動に必要な電流を供給するタイミングを決定し、適切な巻線２１に電流を供給させる。
【００１８】
次に、図２乃至図４を用いて、電磁反発力を有効に活用する手法について説明する。本実施例は、永久磁石１０の直径、磁極２５ａと磁極２５ｂのピッチ、ギャップ長の比が、５：４：１の場合を示している。
【００１９】
図２は、永久磁石１０と２つの磁極２５ａと磁極２５ｂの概略を示す模式図である。ただし、ｘ＝０は磁極２５ａの直上、ｘ＝Ａは磁極２５ｂの直上を表し、永久磁石１０は図２のＸ軸正方向に向かって移動する。搬送装置１では、巻線２１に電流を流すことにより、永久磁石１０に電磁力を作用させ、磁極２５間を移動させる。電磁力を効率よく作用させるたり、所望の方向に移動させたりするためには、永久磁石１０と磁極２５の相対位置情報が必要となる。
【００２０】
例えば、永久磁石１０が磁極２５ａの直上にある場合、その直下の磁極２５ａの巻線２１aに永久磁石の磁束９０と逆向きの磁束８０ａを発生するように電流を流しても、搬送方向への力が発生しない。逆に、永久磁石１０が直上に配置されていない磁極２５ｂの巻線２１ｂに、永久磁石１０の磁束９０と同じ向きの磁束８０ｂを発生する電流を流すことにより、永久磁石１０を磁極２５ｂに引き寄せる電磁吸引力を発生させることができる。
【００２１】
また、永久磁石１０が磁極２５ａの直上から移動した際、永久磁石１０と逆向きの磁束８０ａを発生するように磁極２５ａの巻線２１ａに電流を流すことで、永久磁石１０を磁極２５ｂに押し出す電磁反発力を発生させることができる。つまり、電磁力を効率よく作用させ、しかも電磁力を所望の方向に制御できることになる。
【００２２】
図３は、巻線２１ａに-１．０ｐ．ｕ．流した際の電磁反発力（ａ）による推力と、巻線２１ｂに＋１．０ｐ．ｕ．流した際の電磁吸引力（ｂ）による推力を示している。なお、図３の推力は、永久磁石１０がｘ＝０からｘ＝Ａの区間に存在するときのものある。また、ｘ＝ｐは、巻線２１ａに所定電流を流したときに発生する電磁反発力（ａ）の絶対値と、巻線２１ｂに所定電流を流したときに発生する電磁吸引力（ｂ）の絶対値と、が等しくなる位置である。ただし、この位置ｘ＝ｐは、磁気回路の構造や永久磁石の構成により変動する。
【００２３】
ｘ＝０とｘ＝ｐの間では、巻線２１ｂに１．０ｐ．ｕ．流した際の電磁吸引力（ｂ）は、巻線２１ａに-１．０ｐ．ｕ．流した際の電磁反発力（ａ）に比べ大きい。一方、ｘ＝ｐからｘ＝Ａの間では、巻線２１ｂに１．０ｐ．ｕ．流した際の電磁吸引力（ｂ）が、巻線２１ａに-１．０ｐ．ｕ．流した際の電磁反発力（ａ）に比べ小さい。したがって、ｘ＝ｐからｘ＝Ａの間では、巻線２１ａに-１．０ｐ．ｕ．の電流を流し、電磁反発力（ａ）を主な推力として利用することで、消費電力を抑制しつつ、推力を効率よく高めることができる。
【００２４】
図４は、永久磁石１０の位置に対する巻線２１ａおよび巻線２１ｂの電流波形を示している。本実施例では、ｘ＝ｐで電磁吸引力（ｂ）と電磁反発力（ａ）の大きさが入れ替わる。したがって、図４に示すように、ｘ＝０からｘ＝ｐでは、永久磁石１０を引き寄せる電磁吸引力（ｂ）が発生する電流を巻線２１ｂに流し、ｘ＝ｐからｘ＝Ａでは、永久磁石１０を押し出す電磁反発力（ａ）が発生する電流を巻数２１ａに流す。このように、永久磁石の位置に応じて、電磁吸引力と電磁反発力を使い分けることにより、無駄な電流損失を抑制して効率よく推力を得ることができる。
【００２５】
ここで、巻線２１ａに電流を流す区間と、巻線２１ｂに電流を流す区間と、は重なっていても良い。その場合は、巻線２１ａと巻線２１ｂに同時に通電する区間で、より大きな電磁力を得ることが可能となる。また、巻線２１ａに電流を流す区間と巻線２１ｂに電流を流す区間との間に、いずれの巻線にも電流が流れていない区間があっても良い。その場合、いずれの巻線にも電流が流れていない区間においては、永久磁石１０は慣性によって移動することになり、消費電力を削減できる。
【００２６】
また、永久磁石１０がｘ＝０の位置にあるときに起動した場合、最初のｘ＝０からｘ＝ｐの区間において、まず電磁吸引力を作用させて搬送の方向を定め、その後に電磁反発力も推力として使うので、永久磁石１０を所望の方向へ確実に移動させることができる。さらに、永久磁石１０に推力を与えるに際し、互いに隣接する２つの磁極であって、永久磁石１０との距離が最も近い磁極と次に近い磁極を用いているので、大きな電磁吸引力と電磁反発力を発生させることが可能である。
【００２７】
＜実施例２＞
本発明の実施例２について、図５乃至図６を用いて説明する。電磁吸引力と電磁反発力の大小関係は、永久磁石１０の直径、磁極２５ａと磁極２５ｂのピッチ、ギャップ長により変化する。そのため、搬送装置１の構造によっては、電磁吸引力と電磁反発力の大小関係の入れ替わる点が２つ以上存在する場合がある。本実施例は、磁石の直径、磁極２５ａと磁極２５ｂのピッチ、ギャップ長の比が１：２：１の場合を示している。
【００２８】
図５は、巻線２１ａに-１．０ｐ．ｕ．流した際の電磁反発力（ａ）による推力と、巻線２１ｂに＋１．０ｐ．ｕ．流した際の電磁吸引力（ｂ）による推力を示している。なお、図５の推力は、永久磁石がｘ＝０からｘ＝Ａの区間に存在するときのものである。また、ｘ＝ｐとｘ＝ｐ’は、巻線２１ａに所定電流を流したときに発生する電磁反発力（ａ）の絶対値と、巻線２１ｂに所定電流を流したときに発生する電磁吸引力（ｂ）の絶対値と、が等しくなる位置である。
【００２９】
ｘ＝０とｘ＝ｐの間では、永久磁石１０が磁極２５aの直上付近に存在するため、巻線２１ｂに１．０ｐ．ｕ．流した際の電磁吸引力（ｂ）は、巻線２１ａに-１．０ｐ．ｕ．流した際の電磁反発力（ａ）に比べ大きい。次に、ｘ＝ｐからｘ＝ｐ’の間では、巻線２１ｂに１．０ｐ．ｕ．流した際の電磁吸引力（ｂ）は、巻線２１ａに-１．０ｐ．ｕ．流した際の電磁反発力（ａ）に比べ小さい。そして、ｘ＝ｐ’からｘ＝Ａの間では、巻線２１ｂに１．０ｐ．ｕ．流した際の電磁吸引力（ｂ）は、巻線２１ａに-１．０ｐ．ｕ．流した際の電磁反発力（ａ）に比べ大きい。したがって、ｘ＝０からｘ＝ｐの間と、ｘ＝ｐ’とｘ＝Ａの間では、主に巻線２１ｂに電流を流し、電磁吸引力（ｂ）で主な推力を得るのが望ましい。一方で、ｘ＝ｐとｘ＝ｐ’の間では、主に巻線２１ａに電流を流し、電磁反発力（ａ）で主な推力を得るのが望ましい。
【００３０】
図６は、永久磁石１０の位置に対する巻線２１ａおよび巻線２１ｂの電流波形を示している。本実施例では、ｘ＝ｐとｘ＝ｐ’で電磁吸引力（ｂ）と電磁反発力（ａ）の大きさが入れ替わる。したがって、図６に示すように、ｘ＝０からｘ＝ｐおよびｘ＝ｐ’からｘ＝Ａでは、電磁吸引力（ｂ）を発生させるために巻線２１ｂに電流を流し、ｘ＝ｐからｘ＝ｐ’では、電磁反発力（ａ）を発生させるために巻線２１ａに電流を流す。このように、永久磁石１０の位置に応じて、電磁吸引力と電磁反発力を使い分けることにより、無駄な電流損失を抑制して効率よく推力を得ることができる。
【００３１】
＜実施例３＞
本発明の実施例３について、図７を用いて説明する。図７は、巻線２１の巻数を実施例１の半分とした場合における、電磁反発力（ａ）による推力と、電磁吸引力（ｂ）による推力と、電磁反発力（ａ）および電磁吸引力（ｂ）の合成による推力（ｃ）を示したものである。ここで、電磁反発力（ａ）は巻線２１ａに-１．０ｐ．ｕ．流すことで発生させたものであり、電磁吸引力（ｂ）は、巻線２１ｂに＋１．０ｐ．ｕ．流すことで発生させたものである。なお、（ｂ）’は、実施例１における電磁吸引力による推力（ｂ）’を、比較のために示したものである。
【００３２】
一般に、巻数を減少させると、同じ電流で発生する起磁力が減少し、巻線２１が発生させる推力は減少する。そこで、本実施例では、ｘ＝０からｘ＝Ａの区間で、巻線２１ａに-１．０ｐ．ｕ．を流して電磁反発力（ａ）を発生させるのと同時に、巻線２１ｂに１．０ｐ．ｕ．を流して電磁吸引力（ｂ）を発生するようにした。これにより、実施例１における電磁吸引力による推力（ｂ）’と、ほぼ同様の特性の推力（ｃ）が得られる。つまり、本実施例によれば、巻数を減少させても、電磁吸引力（ｂ）と電磁反発力（ａ）を併用することで、巻数を半減する前と同等の起磁力が得られる。したがって、推力を低下させずに、巻線を減少させて磁気回路を短くし、小型・軽量化した搬送装置が実現できる。
【００３３】
なお、電磁吸引力と異なり、電磁反発力によって得られる推力は、特定の方向に定まらないため、電磁反発力だけで推力を得ると、検体が蛇行したり、検体が搬送経路から逸脱したりする可能性がある。このため、電磁反発力を作用させる際には、電磁吸引力も常に作用させ、かつ、電磁吸引力による推力が電磁反発力による推力よりも常に大きくなるように制御するのが望ましい。
【００３４】
＜実施例４＞
本実施例は、上述の実施例１乃至実施例３で述べた搬送装置を、検体分析装置１００および検体前処理装置１５０に適用したものである。最初に、検体分析装置１００の全体構成について、図８を用いて説明する。図８は、検体分析装置１００の全体構成を概略的に示す図である。
【００３５】
図８において、検体分析装置１００は、反応容器に検体と試薬を各々分注して反応させ、この反応させた液体を測定する装置であり、搬入部１０１、緊急ラック投入口１１３、第１搬送ライン１０２、バッファ１０４、分析部１０５、収納部１０３、表示部１１８、制御部１２０等を備える。
【００３６】
搬入部１０１は、血液や尿などの生体試料を収容する検体容器１２２が複数収納された検体ラック１１１を設置する場所である。緊急ラック投入口１１３は、標準液を搭載した検体ラック（キャリブラック）や緊急で分析が必要な検体が収容された検体容器１２２を収納する検体ラック１１１を装置内に投入するための場所である。バッファ１０４は、検体ラック１１１中の検体の分注順序を変更可能なように、第１搬送ライン１０２によって搬送された複数の検体ラック１１１を保持する。分析部１０５は、バッファ１０４から第２搬送ライン１０６を経由して搬送された検体を分析するものであり、詳細は後述する。収納部１０３は、分析部１０５で分析が終了した検体を保持する検体容器１２２が収容された検体ラック１１１を収納する。表示部１１８は、血液や尿等の液体試料中の所定の成分の濃度の分析結果を表示するための表示機器である。制御部１２０は、コンピュータ等から構成され、検体分析装置１００内の各機構の動作を制御するとともに、血液や尿等の検体中の所定の成分の濃度を求める演算処理を行う。
【００３７】
ここで、第１搬送ライン１０２は、搬入部１０１に設置された検体ラック１１１を搬送するラインであり、上述の実施例１乃至実施例３で述べた搬送装置のいずれかと同等の構成である。本実施例では、磁性体、好適には永久磁石は、被搬送体である検体ラック１１１の裏面側に設けられている。
【００３８】
また、分析部１０５は、第２搬送ライン１０６、反応ディスク１０８、検体分注ノズル１０７、試薬ディスク１１０、試薬分注ノズル１０９、洗浄機構１１２、試薬トレイ１１４、試薬ＩＤリーダー１１５、試薬ローダ１１６、分光光度計１２１等により構成される。
【００３９】
ここで、第２搬送ライン１０６は、バッファ１０４中の検体ラック１１１を分析部１０５に搬入するラインであり、上述の実施例１乃至実施例３で述べた搬送装置のいずれかと同等の構成である。
【００４０】
また、反応ディスク１０８は、複数の反応容器を備えている。検体分注ノズル１０７は、回転駆動や上下駆動により検体容器１２２から反応ディスク１０８の反応容器に検体を分注する。試薬ディスク１１０は、複数の試薬を架設する。試薬分注ノズル１０９は、試薬ディスク１１０内の試薬ボトルから反応ディスク１０８の反応容器に試薬を分注する。洗浄機構１１２は、反応ディスク１０８の反応容器を洗浄する。分光光度計１２１は、光源（図示省略）から反応容器の反応液を介して得られる透過光を測定することにより、反応液の吸光度を測定する。試薬トレイ１１４は、検体分析装置１００内への試薬登録を行う場合に、試薬を設置する部材である。試薬ＩＤリーダー１１５は、試薬トレイ１１４に設置された試薬に付された試薬ＩＤを読み取ることで試薬情報を取得するための機器である。試薬ローダ１１６は、試薬を試薬ディスク１１０へ搬入する機器である。
【００４１】
上述のような検体分析装置１００による検体の分析処理は、以下の順に従い実行される。
【００４２】
まず、検体ラック１１１が搬入部１０１または緊急ラック投入口１１３に設置され、第１搬送ライン１０２によって、ランダムアクセスが可能なバッファ１０４に搬入される。
【００４３】
検体分析装置１００は、バッファ１０４に格納されたラックの中で、優先順位のルールに従い、最も優先順位の高い検体ラック１１１を第２搬送ライン１０６によって、分析部１０５に搬入する。
【００４４】
分析部１０５に到着した検体ラック１１１は、さらに第２搬送ライン１０６によって反応ディスク１０８近くの検体分取位置まで移送され、検体分注ノズル１０７によって検体を反応ディスク１０８の反応容器に分取される。検体分注ノズル１０７により、当該検体に依頼された分析項目に応じて、必要回数だけ検体の分取を行う。
【００４５】
検体分注ノズル１０７により、検体ラック１１１に搭載された全ての検体容器１２２に対して検体の分取を行う。全ての検体容器１２２に対する分取処理が終了した検体ラック１１１を、再びバッファ１０４に移送する。さらに、自動再検を含め、全ての検体分取処理が終了した検体ラック１１１を、第２搬送ライン１０６および第１搬送ライン１０２によって収納部１０３へと移送する。
【００４６】
また、分析に使用する試薬を、試薬ディスク１１０上の試薬ボトルから試薬分注ノズル１０９により先に検体を分取した反応容器に対して分取する。続いて、撹拌機構（図示省略）で反応容器内の検体と試薬との混合液の撹拌を行う。
【００４７】
その後、光源から発生させた光を撹拌後の混合液の入った反応容器を透過させ、透過光の光度を分光光度計１２１により測定する。分光光度計１２１により測定された光度を、Ａ／Ｄコンバータおよびインターフェイスを介して制御部１２０に送信する。そして制御部１２０によって演算を行い、血液や尿等の液体試料中の所定の成分の濃度を求め、結果を表示部１１８等にて表示させたり、記憶部（図示省略）に記憶させたりする。
【００４８】
なお、検体分析装置１００は、上述したすべての構成を備えている必要はなく、前処理用のユニットを適宜追加したり、一部ユニットや一部構成を削除したりできる。この場合も、分析部１０５と搬入部１０１との間を第１搬送ライン１０２により接続し、搬入部１０１から検体ラック１１１を搬送する。
【００４９】
次に、検体前処理装置１５０の全体構成について、図９を用いて説明する。図９は、検体前処理装置１５０の全体構成を概略的に示す図である。
【００５０】
図９において、検体前処理装置１５０は、検体の分析に必要な各種前処理を実行する装置である。図９の左側から右側に向けて、閉栓ユニット１５２、検体収納ユニット１５３、空きホルダスタッカー１５４、検体投入ユニット１５５、遠心分離ユニット１５６、液量測定ユニット１５７、開栓ユニット１５８、子検体容器準備ユニット１５９、分注ユニット１６５、移載ユニット１６１を基本要素とする複数のユニットと、これら複数のユニットの動作を制御する操作部ＰＣ１６３とから構成されている。また、検体前処理装置１５０で処理された検体の移送先として、検体の成分の定性・定量分析を行うための検体分析装置１００が接続されている。
【００５１】
検体投入ユニット１５５は、検体が収容された検体容器１２２を検体前処理装置１５０内に投入するためのユニットである。遠心分離ユニット１５６は、投入された検体容器１２２に対して遠心分離を行うためのユニットである。液量測定ユニット１５７は、検体容器１２２に収容された検体の液量測定を行うユニットである。開栓ユニット１５８は、投入された検体容器１２２の栓を開栓するユニットである。子検体容器準備ユニット１５９は、投入された検体容器１２２に収容された検体を次の分注ユニット１６５において分注するために必要な準備を行うユニットである。分注ユニット１６５は、遠心分離された検体を、検体分析システムなどで分析するために小分けを行うとともに、小分けされた検体容器（子検体容器）１２２にバーコード等を貼り付けるユニットである。移載ユニット１６１は、分注された子検体容器１２２の分類を行い、検体分析システムへの移送準備を行うユニットである。閉栓ユニット１５２は、検体容器１２２や子検体容器１２２に栓を閉栓するユニットである。検体収納ユニット１５３は、閉栓された検体容器１２２を収納するユニットである。
【００５２】
ここで、検体前処理装置１５０においては、検体容器１２２を１つずつ保持する検体ホルダ（図示せず）が、第３搬送ライン（図示せず）によって各処理ユニット間で搬送されている。そして、移載ユニット１６１では、検体前処理装置１５０における第３搬送ラインでの検体容器１２２の搬送に用いる検体ホルダと、検体分析装置１００における第１搬送ライン１０２での検体容器１２２の搬送に用いる検体ラック１１１（５つの検体容器１２２を搭載する）と、の間で検体容器１２２の移載が行われる。つまり、検体前処理装置１５０での前処理が終了した検体容器１２２は、移載ユニット１６１を介して、検体分析装置１００における第１搬送ライン１０２に搬出される。
【００５３】
なお、検体前処理装置１５０は、上述したすべての構成を備えている必要はなく、更にユニットを追加したり、一部ユニットや一部構成を削除したりすることができる。また、図９に示すように、検体前処理装置１５０と検体分析装置１００を組み合わせた検体分析システム２００であってもよい。この場合は、各装置内だけではなく、装置と装置との間を上述した実施例１乃至実施例３で述べた搬送装置にて接続し、検体容器１２２を搬送できる。
【００５４】
本実施例の検体分析装置１００や検体前処理装置１５０、さらにはこれらを組み合わせたシステムでは、実施例１乃至実施例３のような搬送装置を備えているので、検体ラック１１１や検体ホルダを、無駄な電流損失を抑制して効率よく搬送できる。
【００５５】
＜その他＞
なお、本発明は、上述の実施例に限定されるものではなく、様々な変形例が含まれる。上述の実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることも可能である。
【００５６】
例えば、実施例１乃至実施例４では、搬送装置で搬送する被搬送体が検体ラック１１１や検体ホルダである場合について説明したが、被搬送体は検体容器１２２を保持するラック、ホルダに限られず、大規模な搬送が求められる様々な物体を搬送対象にできる。
【符号の説明】
【００５７】
１…搬送装置、１０…永久磁石（第１磁性体）、１１…搬送面、２１，２１ａ，２１ｂ…巻線、２２，２２ａ，２２ｂ…コア（第２磁性体）、２５，２５ａ，２５ｂ…磁極（磁気回路）、３０…電流検出部、４０…演算部、５０…駆動回路、５５…電源、８０…電流の作る磁束の向き、９０…永久磁石の磁束の向き、１００…検体分析装置、１０１…搬入部、１０２…第１搬送ライン、１０３…収納部、１０４…バッファ、１０５…分析部、１０６…第２搬送ライン、１０７…検体分注ノズル、１０８…反応ディスク、１０９…試薬分注ノズル、１１０…試薬ディスク、１１１…検体ラック（被搬送体）、１１２…洗浄機構、１１３…緊急ラック投入口、１１４…試薬トレイ、１１５…試薬ＩＤリーダー、１１６…試薬ローダ、１１８…表示部、１２０…制御部、１２１…分光光度計、１２２…検体容器，子検体容器、１５０…検体前処理装置、１５２…閉栓ユニット、１５３…検体収納ユニット、１５４…ホルダスタッカー、１５５…検体投入ユニット、１５６…遠心分離ユニット、１５７…液量測定ユニット、１５８…開栓ユニット、１５９…子検体容器準備ユニット、１６１…移載ユニット、１６３…操作部ＰＣ、１６５…分注ユニット、２００…検体分析システム
【図１】
2020205698.tif 000003
【図２】
2020205698.tif 000004
【図３】
2020205698.tif 000005
【図４】
2020205698.tif 000006
【図５】
2020205698.tif 000007
【図６】
2020205698.tif 000008
【図７】
2020205698.tif 000009
【図８】
2020205698.tif 000010
【図９】
2020205698.tif 000011